(57)【要約】  鶏舎をはじめとする畜舎の内壁面、床面、備品、又は空気等を除菌清浄するシステムであって、畜舎上部に配置された次亜塩素酸ナトリウム溶液タンクと、フィルタ、及び前記タンクに連設された輸液管から供給される次亜塩素酸ナトリウム溶液の噴射部を備える導入外気用の除菌清浄部を内部に具備した吸気部チャンバと、畜舎内の上部に配設された筒状ブロアと、畜舎内の気温を測定する温度センサと、該温度センサに対して予め設定した設定値に基いて前記筒状ブロアの動作を制御する制御部と、排気口とを備え、該制御部は、前記設定値と前記測定値を適宜サンプリングタイムで比較演算して、該測定値が設定値を超えるときはより強力に畜舎内の空気を送り出すよう前記筒状ブロアの動作を制御し、前記吸気部チャンバで除菌清浄された導入外気は、吸気部チャンバから吹出して畜舎内を充たすと共に、前記筒状ブロアによって前記排気口から排出される
2008152707.tif 000002
【特許請求の範囲】
【請求項１】
鶏舎をはじめとする家畜の飼育用建屋（以下、畜舎という。）の内壁面、床面、備品、又は空気等を除菌清浄するシステムであって、畜舎上部に配置された次亜塩素酸ナトリウム溶液タンクと、フィルタ、及び前記タンクに連設された輸液管から供給される次亜塩素酸ナトリウム溶液の噴射部を備える導入外気用の除菌清浄部を内部に具備した吸気部チャンバと、畜舎内の上部に配設された筒状ブロアと、畜舎内の気温を測定する温度センサと、該温度センサに対して予め設定した設定値に基いて前記筒状ブロアの動作を制御する制御部と、排気口とを備え、該制御部は、前記設定値と前記測定値を適宜サンプリングタイムで比較演算して、該測定値が設定値を超えるときはより強力に畜舎内の空気を送り出すよう前記筒状ブロアの動作を制御し、前記吸気部チャンバで除菌清浄された導入外気は、吸気部チャンバから吹出して畜舎内を充たすと共に、前記筒状ブロアによって前記排気口から排出されることを特徴とする除菌清浄システム。
【請求項２】
鶏舎をはじめとする畜舎の内壁面、床面、備品、又は空気等を除菌清浄するシステムであって、畜舎上部に配置された次亜塩素酸ナトリウム溶液タンクと、該タンクに連設された輸液管に連設されて、該輸液管から供給される次亜塩素酸ナトリウム溶液の噴射口を備える導管と、次亜塩素酸ナトリウム溶液の供給圧を調節するポンプと、畜舎内の湿度を測定する湿度センサと、該湿度センサの測定値に対して予め設定した設定値に基いて前記ポンプの動作を制御する制御部とを備え、該制御部は、前記設定値と前記測定値を適宜サンプリングタイムで比較演算して、該測定値が設定値を越えるときはより強力に次亜塩素酸ナトリウム溶液の噴射を行うよう前記ポンプの動作を制御することを特徴とする除菌清浄システム。
【請求項３】
前記輸液管から供給された次亜塩素酸ナトリウム溶液に加水して該溶液を希釈する希釈部を備え、この希釈された次亜塩素酸ナトリウム溶液を家畜の飲料水に供する請求項１又は２の除菌清浄システム。
【発明の詳細な説明】
【技術分野】
【０００１】
本発明は、養鶏場、養豚場などの家畜を飼育する畜舎（以下、単に畜舎，鶏舎、豚舎などという。）の内壁面、備品、屋内空気、或いは畜舎内の家畜そのものを除菌清浄、又は、消臭するためのシステムに関し、特にウインドレスの鶏舎や豚舎に適用して好適な除菌清浄システムに関するものである。
【背景技術】
【０００２】
鶏卵の生産性を高めるため一度に数多くの鶏を飼育可能な鶏舎が種々開発されている。鶏舎は、壁体構造により開放型と閉鎖型に分類されるが、後者のうち開口部の無いものは特にウィンドレス鶏舎（無窓鶏舎）と呼ばれ、環境制御に重点をおきながら光・温度管理などをコンピューターにより行い集卵率の向上などを図るものである。例えば産卵鶏では今日、１棟に１万羽から数万羽を収容したものを幾棟も持ち、給餌、給水、集卵、除糞、環境制御などを全自動化した大規模な養鶏経営が行われることもある。【０００３】
このウィンドレス鶏舎は、鶏舎に大きな窓を設けることなく照明灯によって内部の明るさを調整するものであって、その一例としては鶏舎の一部を長尺な仕切壁によって複数の養鶏室に隔成すると共に、該各養鶏室に鶏を収容するケージを仕切壁や鶏舎の側壁に沿って配置してあり、また、鶏舎の前端壁に各養鶏室に外気を導入する吸気口が形成されている一方、鶏舎の後端壁に各養鶏室内の空気を外部に排出する排気口が形成されている。この排気口の各養鶏室に対応する位置には比較的大きな一の換気扇が配設さることが多い。冬季等の外気温度が低い場合には、換気扇の回転数が低くなるよう制御して室温の急な低下を防止する一方、夏季等の外気温度が高い場合にあっては、換気扇の回転数が高くなるように制御して各鶏舎室内の温度上昇を抑制するようになっている。【０００４】
しかしながら、鶏舎、豚舎など家畜を飼育するための建物（畜舎）内は概して非衛生となり易く、特に窓のないウィンドレス鶏舎等においては、これを原因とする産卵率の低下や鶏の死滅のみならず人間にとって病原体となりうる様々な細菌が繁殖し易い環境となってしまう。最終的に卵や肉が人間の食用に供されること考慮すると、鶏舎等畜舎における徹底した衛生管理が不可欠である。【０００５】
この点について、従来は畜舎の衛生状態を維持するため家畜に対し抗生物質などの薬剤を投与することで対処していたが、薬剤を大量投与された家畜食材が人間にとって好ましくないことは言うまでもない。
【発明の開示】
【発明が解決しようとする課題】
【０００６】
そこで、本発明は上記のような事情に鑑み、窓のない鶏舎等畜舎においても簡易に畜舎内の温度、湿度、及び衛生状態を維持管理しうる除菌清浄システムを提供することを課題とする。
【課題を解決するための手段】
【０００７】
上記課題を解決することを目的としてなされた本発明除菌清浄システムの一の構成は、鶏舎をはじめとする家畜の飼育用建屋（以下、畜舎という。）の内壁面、床面、備品、又は空気等を除菌清浄するシステムであって、畜舎上部に配置された次亜塩素酸ナトリウム溶液タンクと、フィルタ、及び前記タンクに連設された輸液管から供給される次亜塩素酸ナトリウム溶液の噴射部を備える導入外気用の除菌清浄部を内部に具備した吸気部チャンバと、畜舎内の上部に配設された筒状ブロアと、畜舎内の気温を測定する温度センサと、該温度センサに対して予め設定した設定値に基いて前記筒状ブロアの動作を制御する制御部と、排気口とを備え、該制御部は、前記設定値と前記測定値を適宜サンプリングタイムで比較演算して、該測定値が設定値を超えるときはより強力に畜舎内の空気を送り出すよう前記筒状ブロアの動作を制御し、前記吸気部チャンバで除菌清浄された導入外気は、吸気部チャンバから吹出して畜舎内を充たすと共に、前記筒状ブロアによって前記排気口から排出されることを特徴とするものである。【０００８】
また、本発明除菌清浄システムの他の構成は、鶏舎をはじめとする畜舎の内壁面、床面、備品、又は空気等を除菌清浄するシステムであって、畜舎上部に配置された次亜塩素酸ナトリウム溶液タンクと、該タンクに連設された輸液管に連設されて、該輸液管から供給される次亜塩素酸ナトリウム溶液の噴射口を備える導管と、次亜塩素酸ナトリウム溶液の供給圧を調節するポンプと、畜舎内の湿度を測定する湿度センサと、該湿度センサの測定値に対して予め設定した設定値に基いて前記ポンプの動作を制御する制御部とを備え、該制御部は、前記設定値と前記測定値を適宜サンプリングタイムで比較演算して、該測定値が設定値を越えるときはより強力に次亜塩素酸ナトリウム溶液の噴射を行うよう前記ポンプの動作を制御することを特徴とするものである。【０００９】
さらに、本発明除菌清浄システムは、前記輸液管から供給された次亜塩素酸ナトリウム溶液に加水して該溶液を希釈する希釈部を備え、この希釈された次亜塩素酸ナトリウム溶液を家畜の飲料水に供するよう構成することも任意である。
【発明の効果】
【００１０】
本発明は、養鶏場，養豚場などの畜舎において、吸気部チャンバへ導入された外気に含まれる雑菌や病原体等を、吸気部チャンバに備えられたフィルタ及び除菌清浄部で除菌・浄化することができる。このとき、噴射される次亜塩素酸ナトリウム溶液は鶏や豚などの動物にとって殆んど無害であるため、導入外気に対して充分な量を噴霧して安全に使用することができる。また、畜舎内の気温を測定する温度計と連動して制御される筒状ブロアを備えることにより、常に畜舎内の気温を所期の状態に保つことができると共に、排気部チャンバにも除菌清浄部を設けたことで建物外への排気に対しても除菌清浄化を施すことができる。さらに、本発明は、畜舎内の上部の適宜箇所に次亜塩素酸ナトリウム溶液を供給するための導管と噴射口を設けたことによって、畜舎内壁面、床面、及び家畜そのものに対しても次亜塩素酸ナトリウム溶液を噴霧することができる。また、次亜塩素酸ナトリウム溶液の加水希釈液を家畜の飲用に供することで健全な家畜に対する汚染や二次的な感染を防止することができる。この結果、本発明システムは、ウィンドレス鶏舎のような畜舎においても雑菌や病原体の繁殖を抑制し容易に衛生状態を維持管理することができると共に、畜舎内の温度管理についても容易に実現することができるという効果を有する。
【発明を実施するための最良の形態】
【００１１】
次に、本発明の実施の形態例を図により説明する。図１は請求項１に係る本発明システムの一例を模式化した斜視図、図２は請求項２に係る本発明システムの一例を模式化した斜視図である。【００１２】
図１において、Ｆは比較的気密性を確保しやすい鶏舎等の畜舎を表しており、該畜舎Ｆの上部には次亜塩素酸ナトリウム溶液Ｗ（以下、除菌清浄液Ｗという。）を充填したタンクＴが配設され、ポンプＰにより圧力を得て、タンクＴから連通する輸液管Ｌを経て吸気部チャンバＣＨｉへ除菌清浄液Ｗが供給される。この吸気部チャンバＣＨｉは、フィルタｆｉ、及び前記タンクＴに連設された輸液管Ｌから供給される除菌清浄液Ｗの噴射部Ｊを備える導入外気用の除菌清浄部ＣＲを内部に具備してなるものである。雑菌等を含有した外気は、フィルタｆｉで濾過され除菌清浄部ＣＲで除菌消臭されて畜舎内へ導入されるので、汚染された外気に家畜が冒される危険はなく比較的容易に衛生状態を実現することができる。除菌清浄部ＣＲにおいて除菌清浄液Ｗに晒された導入外気中の過度の水分は、吸気部チャンバＣＨｉの後端に連設されたミストセパレータｍにより分離され次いで畜舎Ｆ内へと送気されることになる。【００１３】
畜舎Ｆ内には温度センサＴが備えられ気温を測定可能である。この測定値に応じて、畜舎Ｆ内上部に配設された筒状ブロアＢの動作は制御される。あらかじめ制御部Ｃに対して設定された設定値と前記測定値との間で適宜サンプリングタイムによる比較演算処理がなされ、測定値が設定値を下回るときは前記筒状ブロアＢの稼動を停止乃至は緩やかにし、一方測定値が設定値を上回るときには筒状ブロアＢを急速に回転させる。これによって畜舎Ｆ内の温度はほぼ一定値に保たれ、集卵率の低下や鶏の死滅等の招来を回避することができる。【００１４】
排気口Ｅにはフィルタｆｏが取付けられているが、排気部側にも図示しない排気部チャンバを連設して、排気にも除菌清浄効果を与えてから排出することも可能である。【００１５】
このとき、輸液管Ｌを流れる除菌清浄液Ｗに対し希釈部Ｄから供給される水分を加えて希釈し、これを家畜用の飲料水として、適宜の装置により与えることによって、病原菌等に感染した一の家畜から健全な他の家畜へ当該菌が伝染してしまうことを防止することが可能である。【００１６】
また、特に食肉用家畜の畜舎Ｆにおいては、図２に示すように、家畜に対して直接除菌清浄液Ｗを噴霧できる環境が有用である。かかる態様においては、畜舎Ｆの上部に配置された除菌清浄液タンクＴと、該タンクＴに連設された輸液管Ｌに連設されて、該輸液管Ｌから供給される除菌清浄液Ｗの噴射口Ｊを備える導管Ｇと、除菌清浄液Ｗの供給圧を調節するポンプＰと、舎内の湿度を測定する湿度計Ｈと、該湿度計Ｈに対して予め設定した設定値に基いて前記ポンプＰの動作を制御する制御部Ｃとを具備して畜舎を構成するのが望ましい。この制御部Ｃは、該制御部Ｃに対して予め設定しておいた設定値と畜舎Ｆ内の湿度の測定値との間で適宜サンプリングタイムによる比較演算処理を行った結果により前記ポンプＰの挙動を制御し、測定値が設定値を上回るときは前記ポンプＰによる給水圧の加圧を停止乃至は緩やかにし、反対に測定値が設定値を下回るときにはポンプＰによって急激に加圧給水する。散布される次亜塩素酸ナトリウム溶液Ｗは家畜にとって無害でありながらも優れた除菌清浄力を有するため、抗生物質等の薬剤によることなく安全に食材の品質管理を行うことが可能である。また、加えて舎内気温の過度な上昇を定期的に抑制する効果も併せもっている。
【産業上の利用可能性】
【００１７】
本発明は以上の通りであって、養鶏場，養豚場などの家畜の飼育用畜舎において、吸気部チャンバへ導入された外気に含まれる雑菌や病原体等を、吸気部チャンバに備えられたフィルタ及び除菌清浄部で除菌・浄化することができ、このとき、噴射される次亜塩素酸ナトリウム溶液は鶏や豚などの動物にとって殆んど無害であるため、導入外気に対して充分な量を噴霧して安全に使用することができ、また、畜舎内の気温を測定する温度計と連動して制御される筒状ブロアを備えることにより、常に畜舎内の気温を所期の状態に保つことができると共に、排気部チャンバにも除菌清浄部を設けたことで建物外への排気に対しても除菌清浄化を施すことが可能であり、さらに、畜舎内の上部の適宜箇所に次亜塩素酸ナトリウム溶液を供給するための導管と噴射口を設けたことによって、舎内壁面、床面、及び家畜そのものに対しても次亜塩素酸ナトリウム溶液を噴霧することができ、且つまた、次亜塩素酸ナトリウム溶液の加水希釈液を家畜の飲用に適用することで健全な家畜に対する汚染や二次的な感染を防止することができるので、この結果として、ウィンドレス鶏舎のような畜舎においても雑菌や病原体の繁殖を抑制し容易に衛生状態を維持管理することができると共に、畜舎内の温度管理についても容易に実現することができるという効果を有するから除菌清浄システムに適用してきわめて有用である。
【図面の簡単な説明】
【００１８】
【図１】請求項１に係る本発明システムの一例を模式化した斜視図
【図２】請求項２に係る本発明システムの一例を模式化した斜視図
【符号の説明】
【００１９】
Ｆ      畜舎
ｔ      タンク
Ｗ      次亜塩素酸ナトリウム溶液
Ｐ      ポンプ
ＣＨｉ  吸気部チャンバ
Ｅ      排気口
ｆｉ，ｆｏ    フィルタ
Ｂ      筒状ブロア
Ｔ      温度センサ
Ｈ      湿度センサ
ｍ      ミストセパレータ
ＣＲ    除菌清浄部
Ｊ      噴射口
Ｌ      輸液管
Ｇ      導管
Ｃ      制御部
Ｄ      希釈部
【図１】
2008152707.tif 000003
【図２】
2008152707.tif 000004
【国際調査報告】
2008152707.tif 000005
2008152707.tif 000006
2008152707.tif 000007
2008152707.tif 000008